【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
金属材料からなる第１および第２の外部部分と、
ワンピースとなるように製造された非金属材料からなる内部部分とを含むパッケージングであって、
上記内部部分が、
その間に要素を格納することができる第１および第２の対向する側部と、
各側部は中央部分と該中央部分から上向きに延びる周辺と側壁とを有する、
前記側部を繋ぐ少なくとも１つの蝶番を形成し、さらに、パッケージングを開けるために、前記側部が互いに対してある角度内で回転可能であり、さらに、パッケージングが自動パッキング装置内でパックされるよう適合しているヒンジング部分とを含んでいて、
前記第１および第２の外部部分の周囲の少なくとも一部分は、前記外部部分の中央部によって規定される面を横切るように延びる湾曲エッジ部および／またはフランジを備え、該湾曲エッジ部および／またはフランジは、前記内部部分の中央部分および側部の側壁を覆うため、前記中央部分を内部部分の各側部に取付けるよう前記内部部分を保持するのに適した、上向きに伸びる側壁を形成するパッケージング。
【請求項２】
パッケージングが閉じた状態で、パッケージングの幅が１３４ｍｍ〜１３８ｍｍの間であり、パッケージングの長さが１８８ｍｍ〜１９４ｍｍの間である、請求項１に記載のパッケージング。
【請求項３】
側部が互いに対して１８０°回転して開いた状態で、パッケージング幅が２８０ｍｍ〜２８６ｍｍの間である、請求項１または２に記載のパッケージング。
【請求項４】
蝶番が、側部が互いに対して、１９０°、または２００°、または２１０°、または２２０°、または２３０°、または２４０°、または２４０°超のように、１８０°以上の角度以内で回転可能となっている、請求項１〜３のいずれか１つに記載のパッケージング。
【請求項５】
第１および第２の側部が、前記側部と前記外部部分との間に付属部品を備えるために、前記第１および第２の外部部分上に設けられた対応する突起を受ける、周囲に沿ったくぼみを備えている、請求項１〜４のいずれか１つに記載のパッケージング。
【請求項６】
第１および第２の外部部分がＵ字形断面をしており、その「Ｕ」字の脚が内部部分を保持する突起を備えている、請求項１〜５のいずれか１つに記載のパッケージング。
【請求項７】
内部部分が、接着剤、および／または溶接、および／または少なくとも１個のバネ錠により、第１および第２の外部部分に取り付けられている、請求項１〜６のいずれか１つに記載のパッケージング。
【請求項８】
内部部分が、第１および第２の部分を内部部分へロックするために、突起として設けられる１つ以上のロッキングピンを含んでいる、請求項１〜７のいずれか１つに記載のパッケージング。
【請求項９】
内部部分の背部部分が、２つの側部間のヒンジング部分を構成し、さらに、背部部分は金属部分／層で覆われている、請求項１〜８のいずれか１つに記載のパッケージング。
【請求項１０】
パッケージングが閉じられているとき、背部部分がパッケージングの背部の最外縁と同じ高さとなるよう、内部部分の背部縁が、内部部分の内部領域に向かって内向きに変位される、請求項９に記載のパッケージング。
【請求項１１】
背部部分を覆う金属部分／層が、金属部分／層を取り付けるべく、背部部分の上下縁を囲んで曲げられたスリップを備えた、請求項９または１０に記載のパッケージング。
【請求項１２】
ヒンジング部分が、内部部分の各側部に１つずつ、２つの蝶番を備えている、請求項１〜１１のいずれか１つに記載のパッケージング。
【請求項１３】
２つの蝶番が、パッケージングの背部側上に溝を形作り、前記溝が、第１および第２の外部部分上の対応する突起および／または金属層／部分と係合するようになっており、それにより、これらが内部部分に取り付けられる、請求項１２に記載のパッケージング。
【請求項１４】
内部部分が保持部材を含んでおり、この保持部材が、格納されるべき要素を予め決定された位置に保持する保持位置と、要素を保持しない非保持位置との間を移動するようになっている、請求項１〜１３のいずれか１つに記載のパッケージング。
【請求項１５】
保持位置内で保持部材を保持するようになっている、セキュリティ部材をさらに含んでいる、請求項１４に記載のパッケージング。
【請求項１６】
セキュリティ部材が信号発生手段を含んでいる、請求項１５に記載のパッケージング。
【請求項１７】
信号発生手段が、電磁信号、および／または、磁場を発生するようになっている、請求項１６に記載のパッケージング。
【請求項１８】
格納されるべき要素がデータ担持要素を含んでいる、請求項１〜１７のいずれか１つに記載のパッケージング。
【請求項１９】
データ担持要素が中央穴を含んでいる、請求項１８に記載のパッケージング。
【請求項２０】
内部部分が、データ担持要素のための固定具を含んでいる、請求項１〜１９のいずれか１つに記載のパッケージング。
【請求項２１】
格納されるべき要素の直径が、１１９．７〜１２０．３ミリメートルの間、または７８．８〜８０．２ミリメートルの間である、請求項１〜２０のいずれか１つに記載のパッケージング。
【請求項２２】
第３の外部寸法が、１４．７〜１５．３ミリメートルの間である、請求項１〜２１のいずれか１つに記載のパッケージング。
【請求項２３】
第１および／または第２の外部部分が装飾を含んでいる、請求項１〜２２のいずれか１つに記載のパッケージング。
【請求項２４】
第１および／または第２の外部部分が、ホログラム、格子、または写真のような表面装飾飾りを含んでいる、請求項１〜２３のいずれか１つに記載のパッケージング。
【請求項２５】
表面装飾飾りが、外部部分の表面内に浮彫りにされている、請求項１〜２４のいずれか１つに記載のパッケージング。
【請求項２６】
表面装飾飾りが、基板処理装置により浮彫りを施され、前記装置が、ツールプランと反応プランを有していて、
ツールプランは、実質的に硬い外部表面を有するコア、および、コアの表面に取り付けられた少なくとも１つのツールのような多層構造を含み、
フレキシブルな力吸収手段が、平面により適用される力を局所的に吸収するよう、ツールプランおよび／または反応プランの少なくとも一部分に設けられている、請求項２４または２５に記載のパッケージング。
【請求項２７】
内部部分が実質的に透明である、請求項１〜２６のいずれか１つに記載のパッケージング。
【請求項２８】
内部部分が透明な色を含んでいる、請求項１〜２７のいずれか１つに記載のパッケージング。
【請求項２９】
第１および第２の外部部分の周囲の一部分が、パッケージングを開けるのに使われるくぼみを含んでいる、請求項１〜２８のいずれか１つに記載のパッケージング。
【請求項３０】
第１および／または第２の側部、および／または、ヒンジング部分が、パッケージングが閉じられるときに、内部部分の第１または第２の側部に向かって、格納された要素を押しつけるよう適合した、１つ以上の突起を含んでいる、請求項１〜２９のいずれか１つに記載のパッケージング。
【請求項３１】
第１および第２の側部が案内部材を備えており、それにより、パッケージングが閉じているとき、２つの側部を互いに対して案内する、請求項１〜３０のいずれか１つに記載のパッケージング。
【請求項３２】
内部部分の第１の側部が、内部部分の第２の側部上に位置決めされた、雌部材と係合するようになっている、テーパエンドを有する雄部材を含む案内部材を含んでいる、請求項３１に記載のパッケージング。
【請求項３３】
第１および／または第２の外部部分の一部分が、パッケージングの内容を示す、浮彫りにされた表面装飾飾りを含んでいる、請求項１〜３２のいずれか１つに記載のパッケージング。
【請求項３４】
内部部分、および／または、第１および第２の外部部分が、パッケージングを閉じられた位置に保つ、ロック手段を含んでいる、請求項１〜３３のいずれか１つに記載のパッケージング。
【請求項３５】
ロック手段が、磁石、または雌雄ロック手段を含んでいる、請求項３４に記載のパッケージング。
【請求項３６】
内部部分が、透明プラスチック、または着色プラスチックなどのプラスチックで製造されている、請求項１〜３５のいずれか１つに記載のパッケージング。
【請求項３７】
第１および第２の外部部分が、鉄鋼、スズ、またはアルミニウムで製造されている、請求項１〜３６のいずれか１つに記載のパッケージング。
【請求項３８】
第１および第２の外部部分が、装飾的な、金属または非金属層を含んでいる、請求項１〜３７のいずれか１つに記載のパッケージング。
【請求項３９】
内部部分が、各側部上に、それぞれが、実質的に第１および第２の部分の形状および厚さに対応する、形状および深さを有する凹所を含んでいる、請求項１〜３８のいずれか１つに記載のパッケージング。
【請求項４０】
第１および第２の部分の形状が、曲げられ、または押出され、または圧伸されることにより提供される、請求項１〜３９のいずれか１つに記載のパッケージング。
【請求項４１】
第１および第２の部分が、共に、内部部分の側部の外部表面の全体を、それぞれ覆っている、請求項１〜４０のいずれか１つに記載のパッケージング。
【請求項４２】
ヒンジング部分が、側部を、互いに対して、例えば２４０°など、２００°以上の角度以内で回転可能にし、それによりパッケージングを開けることができる、請求項１〜４１のいずれか１つに記載のパッケージング。
【請求項４３】
内部部分が、要素を保持するために、第１および／または第２の側部上に設けられた、複数の保持部材を備えている、請求項１４〜４２のいずれか１つに記載のパッケージング。